(57)【要約】  イオン風送出装置は、第１放電電極（２０）と、前記第１放電電極と離れて配置された基準電極（３０）と、前記第１放電電極と前記基準電極の間にコロナ放電を誘起させる電圧を出力する第１電源回路（４０）と、前記第１放電電極と前記基準電極の間で発生したコロナ放電により生成されたイオンによるイオン風の送風経路上に配置された制御電極（３１）と、前記基準電極と前記制御電極との間に配置された第２放電電極（２１）と、前記第１放電電極と前記基準電極の間で発生したコロナ放電により生成されたイオンを加速させるとともに前記第２放電電極と前記制御電極との間にコロナ放電を誘起させる電圧を出力する第２電源回路（４１）と、を備える。
2017029962.tif 000002
【特許請求の範囲】
【請求項１】
第１放電電極（２０）と、
前記第１放電電極と離れて配置された基準電極（３０）と、
前記第１放電電極と前記基準電極の間にコロナ放電を誘起させる電圧を出力する第１電源回路（４０）と、
前記第１放電電極と前記基準電極の間で発生したコロナ放電により生成されたイオンによるイオン風の送風経路上に配置された制御電極（３１）と、
前記基準電極と前記制御電極との間に配置された第２放電電極（２１）と、
前記第１放電電極と前記基準電極の間で発生したコロナ放電により生成されたイオンを加速させるとともに前記第２放電電極と前記制御電極との間にコロナ放電を誘起させる電圧を出力する第２電源回路（４１）と、を備えたイオン風送出装置。
【請求項２】
少なくとも前記制御電極を収納し、前記第１放電電極と前記基準電極の間で発生した前記コロナ放電により生成されたイオンによるイオン風とともに前記第２放電電極と前記制御電極との間で発生したコロナ放電により生じたイオンによるイオン風を噴射させる噴射口（１２）を有するケース（１０）と、
前記第２電源回路の出力電圧を、前記第２放電電極と前記制御電極の間にコロナ放電を誘起させない電圧と、前記第２放電電極と前記制御電極の間にコロナ放電を誘起させる電圧との間で切り替える制御部（５０）と、を備えた請求項１に記載のイオン風送出装置。
【請求項３】
前記制御部は、前記第２電源回路の出力電圧を、前記第２放電電極と前記制御電極の間にコロナ放電を誘起させない電圧にしている期間中の少なくとも一部において、前記第１電源回路の出力電圧を、前記第１放電電極と前記基準電極の間にコロナ放電を誘起させない電圧にし、前記第２電源回路の出力電圧を、前記第２放電電極と前記制御電極の間にコロナ放電を誘起させる電圧にしている期間中の少なくとも一部において、前記第１電源回路の出力電圧を、前記第１放電電極と前記基準電極の間にコロナ放電を誘起させる電圧にする請求項２に記載のイオン風送出装置。
【請求項４】
前記制御部は、前記第１電源回路の出力電圧を、前記第１放電電極と前記基準電極の間にコロナ放電を誘起させる電圧に切り替えるとともに第２電源回路の出力電圧を、前記第２放電電極と前記制御電極との間にコロナ放電を誘起させる電圧に切り替え、前記第１放電電極と前記基準電極との間、および前記第２放電電極と前記制御電極との間で発生したコロナ放電により生成されたイオンによるイオン風が前記噴射口から噴射された後、再度、前記第２放電電極と前記制御電極との間にコロナ放電を誘起させる電圧を出力するよう前記第２電源回路の出力電圧を制御する前に、前記基準電極と前記制御電極の間に存在するイオンを前記基準電極側へ移動させるよう前記第２電源回路の出力電圧を制御する請求項２または３に記載のイオン風送出装置。
【請求項５】
前記制御電極を第１制御電極とし、
当該イオン風送出装置は、さらに、
前記第２放電電極と前記第１制御電極の間で発生した前記コロナ放電により生成されたイオンによるイオン風の送風経路上に配置された第２制御電極（３２）と、
前記第１制御電極と前記第２制御電極との間に配置された第３放電電極（２２）と、
前記第３放電電極と前記第２制御電極の間で発生したコロナ放電により生成されたイオンを加速させるとともに前記第３放電電極と前記第２制御電極との間にコロナ放電を誘起させる電圧を出力する第３電源回路（４２）と、を備えた請求項１に記載のイオン風送出装置。
【請求項６】
少なくとも前記第２制御電極を収納し、前記第１放電電極と前記基準電極の間で発生した前記コロナ放電により生成されたイオンによるイオン風、前記第２放電電極と前記第１制御電極との間で発生したコロナ放電により生じたイオンによるイオン風および前記第３放電電極と前記第２制御電極の間で発生したコロナ放電により生成されたイオンによるイオン風を噴射させる噴射口（１２）を有するケース（１０）と、
前記第２電源回路の出力電圧を、前記第２放電電極と前記第１制御電極の間にコロナ放電を誘起させない電圧と、前記第２放電電極と前記制御電極の間にコロナ放電を誘起させる電圧との間で切り替えるとともに、前記第３電源回路の出力電圧を、前記第３放電電極と前記第２制御電極との間にコロナ放電を誘起させない電圧と、前記第３放電電極と前記第２制御電極との間にコロナ放電を誘起させる電圧との間で切り替える制御部（５０）と、を備えた請求項５に記載のイオン風送出装置。
【請求項７】
前記制御部は、前記第２電源回路の出力電圧を、前記第２放電電極と前記第１制御電極の間にコロナ放電を誘起させない電圧にしている期間中の少なくとも一部において、前記第３電源回路の出力電圧を、前記第３放電電極と前記第２制御電極との間にコロナ放電を誘起させない電圧にし、前記第２電源回路の出力電圧を、前記第２放電電極と前記第１制御電極の間にコロナ放電を誘起させる電圧にしている期間中の少なくとも一部において、前記第３電源回路の出力電圧を、前記第３放電電極と前記第２制御電極との間にコロナ放電を誘起させる電圧にする請求項６に記載のイオン風送出装置。
【請求項８】
前記制御部は、前記第２電源回路の出力電圧を、前記第２放電電極と前記制御電極の間にコロナ放電を誘起させない電圧にしている期間中の少なくとも一部において、さらに、前記第１電源回路の出力電圧を、前記第１放電電極と前記基準電極の間にコロナ放電を誘起させない電圧にし、前記第２電源回路の出力電圧を、前記第２放電電極と前記制御電極の間にコロナ放電を誘起させる電圧にしている期間中の少なくとも一部において、さらに、前記第１電源回路の出力電圧を、前記第１放電電極と前記基準電極の間にコロナ放電を誘起させる電圧にする請求項７に記載のイオン風送出装置。
【請求項９】
前記制御部は、前記第１電源回路の出力電圧を、前記第１放電電極と前記基準電極の間にコロナ放電を誘起させる電圧に切り替え、前記第２電源回路の出力電圧を、前記第２放電電極と前記第１制御電極との間にコロナ放電を誘起させる電圧に切り替え、さらに、前記第３電源回路の出力電圧を、前記第３放電電極と前記第２制御電極との間にコロナ放電を誘起させる電圧に切り替え、前記第１放電電極と前記基準電極との間、前記第２放電電極と前記第１制御電極との間、および前記第３放電電極と前記第２制御電極との間で発生したコロナ放電により生成されたイオンによるイオン風が前記噴射口から噴射された後、再度、前記第３放電電極と前記第２制御電極との間にコロナ放電を誘起させる電圧を出力するよう前記第３電源回路の出力電圧を制御する前に、前記第１制御電極と前記第２制御電極の間に存在するイオンを前記第１制御電極側に移動させるよう前記第３電源回路の出力電圧を制御するとともに、前記基準電極と前記第１制御電極の間に存在するイオンを前記基準電極側に移動させるよう前記第２電源回路の出力電圧を制御する請求項７または８に記載のイオン風送出装置。
【発明の詳細な説明】
【関連出願への相互参照】
【０００１】
本出願は、２０１５年８月１９日に出願された日本特許出願番号２０１５−１６２０６９号に基づくもので、ここにその記載内容が参照により組み入れられる。
【技術分野】
【０００２】
本開示は、イオン風を送出するイオン風送出装置に関するものである。
【背景技術】
【０００３】
特許文献１には、ケースに形成された噴射口からケース外にイオン風を噴射させるようにしたイオン風送出装置が知られている。このイオン風送出装置は、一端側に空気導入口が形成され他端側に空気噴射口が形成されたケースを有し、このケース内に針状の放電電極と筒状の基準電極からなる電極対が直列に複数配置されている。各電極対における放電電極と基準電極の間で連続的にコロナ放電が発生するとイオン風が発生し、ケースに形成された噴射口からケース外にイオン風が噴射される。
【先行技術文献】
【特許文献】
【０００４】
【特許文献１】米国特許第７９１１１４６号明細書
【発明の概要】
【０００５】
上記特許文献１に記載された装置は、各放電電極はマイナス電位となるよう構成され、各基準電極は接地されている。このため、例えば、初段と２段目の電極対の間、２段目と３段目の電極対の間など、電極対の間で逆電界となるため、イオンの加速が阻害されイオン風を良好に加速することができない。
【０００６】
本開示は、よりイオン風を加速できるようにすることを目的とする。
【０００７】
本開示の１つの観点によれば、イオン風送出装置は、第１放電電極と、第１放電電極と離れて配置された基準電極と、第１放電電極と基準電極の間にコロナ放電を誘起させる電圧を出力する第１電源回路と、第１放電電極と基準電極の間で発生したコロナ放電により生成されたイオンによるイオン風の送風経路上に配置された制御電極と、基準電極と制御電極との間に配置された第２放電電極と、第１放電電極と基準電極の間で発生したコロナ放電により生成されたイオンを加速させるとともに第２放電電極と制御電極との間にコロナ放電を誘起させる電圧を出力する第２電源回路と、を備える。
【０００８】
このような構成によれば、第１放電電極と基準電極の間で発生したコロナ放電により生成されたイオンによるイオン風の送風経路上に制御電極が配置され、第２電源回路により出力される電圧により、第１放電電極と基準電極の間で発生したコロナ放電により生成されたイオンが加速されるとともに第２放電電極と制御電極との間にコロナ放電が発生し、このコロナ放電によりイオンが追加されるので、よりイオン風を加速させることができる。
【図面の簡単な説明】
【０００９】
【図１】第１実施形態に係るイオン風送出装置の構成を示す図である。
【図２】イオン風の発生について説明するための図である。
【図３】第２実施形態に係るイオン風送出装置の構成を示す図である。
【図４】第２実施形態に係る噴流発生装置の電源回路の出力波形を示した図である。
【図５】噴流の発生について説明するための図である。
【図６】第３実施形態に係る噴流発生装置の電源回路の出力波形を示した図である。
【図７】イオンの蓄積について説明するための図である。
【図８】第４実施形態に係るイオン風送出装置の構成を示す図である。
【図９】第４実施形態に係る噴流発生装置の電源回路の出力波形を示した図である。
【図１０】第５実施形態に係る噴流発生装置の電源回路の出力波形を示した図である。
【図１１】変形例について説明するための図である。
【発明を実施するための形態】
【００１０】
以下、本開示の実施形態について図に基づいて説明する。なお、以下の各実施形態相互において、互いに同一もしくは均等である部分には、図中、同一符号を付してある。
【００１１】
（第１実施形態）
第１実施形態に係るイオン風送出装置の構成を図１に示す。本イオン風送出装置は、快適性向上のため、車両の乗員の顔に向けて噴流を噴射し、空気渦輪を送出するよう車両のメータ等に取り付けられる。
【００１２】
本イオン風送出装置は、ケース１０、第１放電電極２０、基準電極３０、第２放電電極２１、制御電極３１、電源回路４０、電源回路４１および制御部５０を備えている。なお、図１におけるケース１０の部分は、ケース１０の内部を透視した状態が示されている。
【００１３】
ケース１０は、第１放電電極２０、基準電極３０、第２放電電極２１および制御電極３１を収容するものであり、中空円筒状の胴体部１１および支持部１３を有している。胴体部１１および支持部１３は、絶縁性部材により構成されている。
【００１４】
胴体部１１における長手方向の一端側には、ケース１０の外部の空気を当該ケース１０内に取り込む開口部１３ａおよび第１放電電極２０を支持する支持部１３が形成されている。また、胴体部１１における長手方向の他端側には開口部１５が形成されている。また、胴体部１１における長手方向の他端側には、導電金属製の制御電極３１が設けられている。また、第１放電電極２０および制御電極３１の間には、基準電極３０が設けられている。
【００１５】
第１放電電極２０は、針状の先端部２０ａを有しており、導電金属製（例えば、銅）の部材により構成されている。第１放電電極２０は、先端部２０ａがケース１０の内面側に位置するよう支持部１３により支持されている。第１放電電極２０とケース１０の間には不図示の絶縁部材が設けられており、第１放電電極２０とケース１０は絶縁されている。
【００１６】
基準電極３０は、中空円筒形状をなしており、基準電極３０の外周面がケース１０の内周面と接触するようケース１０内に配置されている。
【００１７】
電源回路４０は、第１放電電極２０と基準電極３０の電位差を制御する出力電圧を発生させる第１電源回路である。電源回路４０は、第１出力端子Ｖ０および第２出力端子Ｖ１を有している。電源回路４０の第１出力端子Ｖ０は配線４０ａを介して第１放電電極２０に接続されている。また、電源回路４０の第２出力端子Ｖ１は配線４０ｂを介して基準電極３０および接地端子ＧＮＤに接続されている。電源回路４０は、−３ｋＶ以上かつ３ｋＶ以下の出力電圧を出力できるのみならず、−３ｋＶ以下、かつ、３ｋＶ以上の出力電圧も出力することが可能となっている。また、電源回路４０は、矩形形状の電圧を出力することが可能となっている。
【００１８】
第２放電電極２１は、針状の先端部２０ａを有しており、導電金属製（例えば、銅）の部材により構成されている。中空円筒形状をなす基準電極３０の内部には第２放電電極２１を支持する支持部１４が形成されている。第２放電電極２１は、基準電極３０の内部に形成された支持部１４に支持されている。第２放電電極２１は、基準電極３０と接続されているので、第２放電電極２１と基準電極３０は同電位になる。
【００１９】
制御電極３１は、中空円筒形状をなしており、導電金属製部材（例えば、銅）により構成されている。基準電極３０は、当該基準電極３０の外周面がケース１０の内周面と接触するようケース１０内に配置されている。制御電極３１は、第１放電電極２０と基準電極３０の間で発生したコロナ放電により生成されたイオンによるイオン風の送風経路上に配置された第１制御電極である。
【００２０】
電源回路４１は、第２放電電極２１および基準電極３０と、制御電極３１との電位差を制御する出力電圧を発生させる第２電源回路である。電源回路４１は、第１出力端子Ｖ０および第２出力端子Ｖ１を有している。電源回路４１の第１出力端子Ｖ０は配線４０ｂを介して第２放電電極２１、基準電極３０、電源回路４０の第２出力端子Ｖ１および接地端子ＧＮＤに接続されている。また、電源回路４１の第２出力端子Ｖ１は配線４０ｃを介して制御電極３１に接続されている。また、第２出力端子Ｖ１とケース１０の間および第１出力端子Ｖ０とケース１０の間は絶縁されている。
【００２１】
電源回路４１は、６ｋＶ以下の出力電圧を出力することが可能となっている。また、電源回路４１は、矩形形状の電圧を出力することが可能となっている。
【００２２】
制御部５０は、ＣＰＵ、ＲＡＭ、ＲＯＭ、Ｉ／Ｏ等を有するコンピュータとして構成され、ＣＰＵはＲＯＭに記憶されたプログラムにしたがって各種処理を実施する。制御部５０は、電源回路４０の出力電圧を制御するととともに、電源回路４１の出力電圧を制御する。なお、ＲＡＭおよびＲＯＭは、いずれも非遷移的実体的記録媒体である。
【００２３】
次に、イオン風送出装置の作動について図２、図３を参照して説明する。制御部５０は、第１放電電極２０と基準電極３０の間にコロナ放電を誘起させる電圧が印加されるよう電源回路４０の出力電圧を制御するととともに、第２放電電極２１と制御電極３１の間にコロナ放電を誘起させる電圧が印加されるよう電源回路４１を制御する。すなわち、第１放電電極２０と基準電極３０の間に連続的にコロナ放電を誘起させるとともに、第２放電電極２１と制御電極３１の間に連続的にコロナ放電を誘起させるよう電源回路４０、４１の出力電圧を制御する。第１放電電極２０と基準電極３０の間にコロナ放電を誘起させる電圧は、本実施形態では、−３キロボルトである。第２放電電極２１と制御電極３１の間にコロナ放電を誘起させる電圧は、本実施形態では、３キロボルトである。これにより、第１放電電極２０の電位は−３ｋＶ、基準電極３０の電位は０Ｖ、制御電極３１の電位は＋３ｋＶとなる。
【００２４】
このように、第１放電電極２０と基準電極３０の間に−３ｋＶの電圧が印加されると、第１放電電極２０の先端部２０ａの近傍に強電界が生じ、図２中の範囲Ｒ１に示すように、第１放電電極２０の周囲にコロナ放電が誘起され、第１放電電極２０と基準電極３０の間にコロナ放電が発生する。
【００２５】
そして、図２中の範囲Ｒ２に示すように、コロナ放電の発生により第１放電電極２０の周囲の空気が電離して空気イオンが発生する。具体的には、第１放電電極２０の周囲の空気が電離して正イオンと負イオンが生成される。
【００２６】
そして、図２中の範囲Ｒ３に示すように、負のイオンが電極間の電界によって加速され基準電極３０側に移動する。ここで、負のイオンが基準電極３０側に移動する過程で第１放電電極２０および基準電極３０の周囲の空気を巻き込みイオン風が発生し、このイオン風は基準電極３０の内部を通過する。
【００２７】
さらに、基準電極３０の電位は０Ｖとなり、制御電極３１の電位は３ｋＶとなっている。したがって、基準電極３０を通過した負のイオンは、図２中の範囲Ｒ４に示すように、制御電極３１側に移動する過程で加速される。その結果、より大きなイオン風が発生する。そして、制御電極３１を通過したイオン風は、ケース１０の他端側に形成された開口部１５から吹き出される。
【００２８】
また、第２放電電極２１の電位は０Ｖとなり、制御電極３１の電位は３ｋＶとなっているので、第２放電電極２１の先端部２１ａの近傍に強電界が生じ、第２放電電極２１の周囲にコロナ放電が誘起され、第２放電電極２１と制御電極３１の間にコロナ放電が発生する。
【００２９】
このように、第１放電電極２０と基準電極３０の間にコロナ放電が発生するだけでなく、第２放電電極２１と制御電極３１の間にもコロナ放電が発生する。
【００３０】
そして、コロナ放電の発生により第２放電電極２１の周囲の空気が電離して正イオンと負イオンが生成され、負のイオンが電極間の電界によって加速され制御電極３１側に移動する。ここで、第２放電電極２１と制御電極３１の間で発生したコロナ放電により生成された負のイオンも制御電極３１側に移動する過程で第２放電電極２１および制御電極３１の周囲の空気を巻き込み、その結果イオン風が発生する。そして、制御電極３１を通過したイオン風は、ケース１０の他端側に形成された開口部１５から吹き出される。
【００３１】
上記した構成によれば、第１放電電極２０と基準電極３０の間で発生したコロナ放電により生成されたイオンによるイオン風の送風経路上に制御電極３１が配置される。そして、電源回路４１により出力される電圧により、第１放電電極２０と基準電極３０の間で発生したコロナ放電により生成されたイオンが加速される。それとともに第２放電電極２１と制御電極３１との間にコロナ放電が発生し、このコロナ放電によりイオンが追加される。したがって、よりイオン風を加速させることができる。
【００３２】
（第２実施形態）
次に、第２実施形態に係るイオン風送出装置について図３、図４、図５を参照して説明する。本実施形態のイオン風送出装置の構成は、上記第１実施形態のイオン風送出装置と比較して、ケース１０に噴射ノズル１２が設けられている点が異なる。噴射ノズル１２は噴射口に対応する。
【００３３】
ケース１０は、当該ケース１０内で発生したコロナ放電により生成されたイオンによるイオン風を噴射させる筒状の噴射ノズル１２を有している。具体的には、胴体部１１における長手方向の一端側に、ケース１０の外部の空気を当該ケース１０内に取り込む開口部１３ａが形成され、胴体部１１における長手方向の他端側には、コロナ放電により生成されたイオンによるイオン風を噴射させる筒状の噴射ノズル１２が設けられている。噴射ノズル１２は胴体部１１よりも縮径している。すなわち、噴射ノズル１２内の空気流路の水力直径は、胴体部１１内の空気流路の水力直径よりも、小さい。
【００３４】
上記第１実施形態では、第１放電電極２０と基準電極３０の間に連続的にコロナ放電が発生するとともに、第２放電電極２１と制御電極３１の間に連続的にコロナ放電が発生する。これに対し、本実施形態では、第１放電電極２０と基準電極３０の間と、第２放電電極２１と制御電極３１の間に、それぞれ同期して間欠的にコロナ放電を発生させる。
【００３５】
次に、本実施形態に係るイオン風送出装置の作動について説明する。まず、図４に示すように、制御部５０は、電源回路４０から−２ｋＶの電圧が出力されるよう電源回路４０を制御する。これにより、第１放電電極２０の電位は−２ｋＶとなり、基準電極３０の電位は０Ｖとなる。このように、電源回路４０の出力電圧が−２ｋＶになっても第１放電電極２０の周囲にコロナ放電は発生しない。
【００３６】
それと同時に、制御部５０は、電源回路４１の出力電圧を０Ｖとするよう電源回路４１を制御する。これにより、第２放電電極２１、制御電極３１および基準電極３０の電位はそれぞれ０Ｖとなる。したがって、第２放電電極の周囲にコロナ放電は発生しない。
【００３７】
次に、図４に示すように、制御部５０は、一定期間、電源回路４０から−３ｋＶの電圧が出力されるよう電源回路４０を制御するとともに、同じ一定期間、電源回路４１から３ｋＶの電圧が出力されるよう電源回路４１を制御する。この一定期間は、本実施形態では、０．２秒間である。なお、制御部５０は、電源回路４０の出力電圧と電源回路４１の出力電圧が同時に切り替わるよう電源回路４０および電源回路４１を制御する。これにより、第１放電電極２０の電位は−３ｋＶとなり、第２放電電極２１および基準電極３０の電位は０Ｖとなり、制御電極３１の電位は３ｋＶとなる。
【００３８】
このように、第１放電電極２０と基準電極３０の間に−３ｋＶの電圧が印加されると、第１放電電極２０の先端部２０ａの近傍に強電界が生じる。その結果、図５中の範囲Ｒ１１に示すように、第１放電電極２０の周囲にコロナ放電が誘起され、第１放電電極２０と基準電極３０の間にコロナ放電が発生する。
【００３９】
そして、図５中の範囲Ｒ１２に示すように、コロナ放電の発生により第１放電電極２０の周囲の空気が電離して空気イオンが発生する。具体的には、第１放電電極２０の周囲の空気が電離して正イオンと負イオンが生成される。
【００４０】
そして、図５中の範囲Ｒ１３に示すように、負のイオンが電極間の電界によって加速され基準電極３０側に移動する。また、図５中の範囲Ｒ１４に示すように、負のイオンが基準電極３０側に移動する過程で第１放電電極２０および基準電極３０の周囲の空気を巻き込みイオン風が発生する。
【００４１】
さらに、制御電極３１の電位は３ｋＶとなり、基準電極３０の電位は０Ｖとなっているので、基準電極３０を通過した負のイオンは、制御電極３１側に移動する過程で加速され、より大きなイオン風が発生する。そして、制御電極３１を通過したイオン風は、噴射ノズル１２から噴流として吹き出される。
【００４２】
このとき、図５に示すような、円筒状の空気噴流のコアが噴射ノズル１２から吹き出される。この噴射ノズル１２から吹き出された空気噴流のコアは、図５中に示すように、周囲の止まっている空気との摩擦により渦輪を形成する。このように、空気の渦輪が発生する。
【００４３】
なお、ケース１０内の負のイオンの一部は接地端子ＧＮＤを介して吸収される。また、ケース１０内の負のイオンの他の一部はケース１０内にイオンの状態で留まる。また、ケース１０内の負のイオンの残りの一部は周囲の空気とともに噴射ノズル１２からケース１０外に噴射される。
【００４４】
さらに、第２放電電極２１の電位は０Ｖとなり、制御電極３１の電位は３ｋＶとなっている。したがって、第２放電電極２１の先端部２１ａの近傍に強電界が生じ、第２放電電極２１の周囲にもコロナ放電が誘起され、第２放電電極２１と制御電極３１の間にもコロナ放電が発生し、負のイオンが追加される。この追加された負のイオンも制御電極３１側に移動する過程で加速され、その結果、より大きなイオン風が発生する。そして、このようにして加速されたイオン風は、噴射ノズル１２からケース１０外に噴流として噴射される。
【００４５】
本実施形態では、上記第１実施形態と共通の構成から奏される効果を第１実施形態と同様に得ることができる。
【００４６】
また、本イオン風発生装置は、ケース１０と制御部５０とを備えている。ケース１０は、制御電極３１を収納するとともに噴射ノズル１２を有する。噴射ノズル１２は、第１放電電極２０と基準電極３０の間で発生したコロナ放電により生成されたイオンによるイオン風とともに、第２放電電極２１と制御電極３１との間で発生したコロナ放電により生じたイオンによるイオン風を、噴射させる。制御部５０は、電源回路４１の出力電圧を、第２放電電極２１と制御電極３１の間にコロナ放電を誘起させない電圧と、第２放電電極２１と制御電極３１の間にコロナ放電を誘起させる電圧との間で切り替える。
【００４７】
このような構成によれば、第２放電電極２１と制御電極３１の間で発生したコロナ放電により生じた負のイオンによるイオン風をケース１０の噴射ノズル１２から噴流として噴射させることができる。
【００４８】
制御部５０は、さらに、電源回路４１の出力電圧を、第２放電電極２１と制御電極３１の間にコロナ放電を誘起させない電圧に切り替えて維持している期間中の全体において、電源回路４０の出力電圧を、第１放電電極２０と基準電極３０の間にコロナ放電を誘起させない電圧に切り替えて維持する。そして制御部５０は、電源回路４１の出力電圧を、第２放電電極２１と制御電極３１の間にコロナ放電を誘起させる電圧に切り替えて維持している期間中の全体において、電源回路４０の出力電圧を、第１放電電極２０と基準電極３０の間にコロナ放電を誘起させる電圧に切り替えて維持する。
【００４９】
このように制御部５０は、電源回路４１の出力電圧を、第２放電電極２１と制御電極３１の間にコロナ放電を誘起させる電圧に切り替えて維持している期間中の全体において、第２放電電極２１と制御電極３１の間と第１放電電極２０と基準電極３０の間の両方にコロナ放電を発生させる。したがってケース１０の噴射ノズル１２からより強い噴流を噴射させることができる。
【００５０】
（第３実施形態）
次に、第３実施形態に係るイオン風送出装置について説明する。本実施形態のイオン風送出装置の構成は、上記第２実施形態のイオン風送出装置と同じである。
【００５１】
上記第２実施形態では、電源回路４１の出力電圧が０Ｖと３ｋＶの間で切り替わる。本実施形態では、図６に示すように、電源回路４１の出力電圧が−３ｋＶと＋３ｋＶの間で切り替わる。制御部５０は、電源回路４１の出力電圧を放電電圧に制御する前に、基準電極３０と制御電極３１の間に存在するイオンを基準電極３０側に移動させるよう電源回路４１の出力電圧を制御する。この放電電圧は、第１放電電極２０と基準電極３０の間で発生したコロナ放電により生成されたイオンを加速させるとともに第２放電電極２１と制御電極３１との間にコロナ放電を誘起させる電圧である。この放電電圧は、本実施形態では、３ｋＶである。具体的には、制御部５０は、電源回路４１の出力電圧を放電電圧に制御する前に、電源回路４１の出力電圧を−３ｋＶとするよう電源回路４１を制御する。
【００５２】
これにより、図７の範囲Ｒ２１に示すように、基準電極３０と制御電極３１の間に存在する負のイオンが押し戻されるように基準電極３０側に移動、蓄積される。したがって、次回、コロナ放電により発生した負のイオンを噴射ノズル１２へ向けて加速させるよう電源回路４１の出力電圧を制御する際に、これらの負のイオンも、制御電極３１側に移動する過程で加速される。したがって、さらに大きなイオン風が発生し、このイオン風が噴射ノズル１２から噴流として吹き出される。すなわち、上記第２実施形態の噴流発生装置と比較して、噴射ノズル１２から噴射される噴流をより高速にすることができる。また、噴射ノズル１２からケース１０の外部に噴射させる負のイオンの量を多くすることもできる。
【００５３】
本実施形態では、上記第２実施形態と共通の構成から奏される効果を第２実施形態と同様に得ることができる。
【００５４】
また、制御部５０は、電源回路４０の出力電圧を、第１放電電極２０と基準電極３０の間にコロナ放電を誘起させる電圧に切り替えるとともに電源回路４１の出力電圧を、第２放電電極２１と制御電極３１との間にコロナ放電を誘起させる電圧に切り替えている。そして、制御部５０は、第１放電電極２０と基準電極３０との間、および第２放電電極２１と制御電極３１との間で発生したコロナ放電により生成されたイオンによるイオン風が噴射ノズル１２から噴射された後、所定の制御を行う。当該所定の制御では、制御部５０は、再度放電制御を行う前に、戻し制御を行う。放電制御は、第２放電電極２１と制御電極３１との間にコロナ放電を誘起させる電圧を出力するよう電源回路４１の出力電圧を制御することをいう。戻し制御は、基準電極３０と制御電極３１の間に存在するイオンを基準電極３０側へ移動させるよう電源回路４１の出力電圧を制御することをいう。
【００５５】
このような構成によれば、基準電極３０と制御電極３１の間に存在するイオンが基準電極３０側へ移動するよう電源回路４１の出力電圧が制御される。したがって、基準電極３０と制御電極３１の間から基準電極３０側に押し戻されるよう負のイオンが移動、蓄積される。したがって、再度、コロナ放電により発生した負のイオンを噴射ノズル１２へ向けて加速させるよう電源回路４１の出力電圧を制御する際に、これらの負のイオンも、制御電極３１側に移動する過程で加速される。その結果。さらに大きなイオン風が発生し、このイオン風が噴射ノズル１２から噴流として吹き出される。すなわち、上記第２実施形態の噴流発生装置と比較して、噴射ノズル１２から噴射される噴流をより高速にすることができる。
【００５６】
なお、本実施形態においても、第２実施形態と同様、円筒状の空気噴流のコアが噴射ノズル１２から吹き出される。この噴射ノズル１２から吹き出された空気噴流のコアは、周囲の止まっている空気との摩擦により渦輪を形成する。このように、空気の渦輪が発生する。
【００５７】
（第４実施形態）
第４実施形態に係るイオン風送出装置について説明する。図８に、本実施形態に係るイオン風送出装置の構成を示す。本実施形態のイオン風送出装置の構成は、上記第２実施形態のイオン風送出装置と比較して、さらに、第３放電電極２２、制御電極３２および電源回路４２を備えた点が異なる。上記第１〜第３実施形態のイオン風送出装置は、第１放電電極２０と基準電極３０よりなる電極対と、第２放電電極２１と制御電極３１よりなる電極対を直列に配置した２段構成となっている。それに対し、本実施形態のイオン風送出装置は、更に、第３放電電極２２および制御電極３２よりなる電極対を直列に配置した３段構成となっている。
【００５８】
第３放電電極２２は、針状の先端部２２ａを有しており、導電金属製（例えば、銅）の部材により構成されている。中空円筒形状をなす制御電極３１の内部には第３放電電極２２を支持する支持部１６が形成されている。第３放電電極２２は、制御電極３１の内部に形成された支持部１６に支持されている。第３放電電極２２は、制御電極３１と接続されている。したがって、第３放電電極２２と制御電極３１とは同電位になる。
【００５９】
制御電極３２は、中空円筒形状をなしており、導電金属製部材（例えば、銅）により構成されている。制御電極３２は、当該制御電極３２の外周面がケース１０の内周面と接触するようケース１０内に配置されている。制御電極３２は、第２放電電極２１と制御電極３１の間で発生したコロナ放電により生成されたイオンによるイオン風の送風経路上に配置された第２制御電極である。
【００６０】
電源回路４２は、第３放電電極２２および制御電極３１と、制御電極３２との電位差を制御する出力電圧を発生させる。電源回路４２は放電電圧を出力する第３電源回路である。この放電電圧は、第３放電電極２２と制御電極３２の間で発生したコロナ放電により生成されたイオンを加速させるとともに第３放電電極２２と制御電極３２との間にコロナ放電を誘起させる電圧である。
【００６１】
電源回路４２は、第１出力端子Ｖ０および第２出力端子Ｖ１を有している。電源回路４２の第１出力端子Ｖ０は配線４０ｂを介して第２放電電極２１、基準電極３０、電源回路４１の第１出力端子Ｖ０、電源回路４０の第２出力端子Ｖ１および接地端子ＧＮＤに接続されている。また、電源回路４２の第２出力端子Ｖ１は配線４０ｄを介して制御電極３２に接続されている。また、第２出力端子Ｖ１とケース１０の間および第１出力端子Ｖ０とケース１０の間は絶縁されている。
【００６２】
電源回路４２は、−６ｋＶ以上かつ６ｋＶ以下の出力電圧を出力できるのみならず、−６ｋＶ以下、かつ、６ｋＶ以上の出力電圧を出力することが可能となっている。また、電源回路４１は、矩形形状の電圧を出力することが可能となっている。
【００６３】
上記したように、本実施形態のイオン風送出装置は、第１放電電極２０と基準電極３０よりなる電極対と、第２放電電極２１と制御電極３１よりなる電極対と、第３放電電極２２および制御電極３２よりなる電極対を直列に配置した３段構成となっている。
【００６４】
本実施形態のイオン風送出装置は、図９に示すように、電源回路４０の出力電圧を−３ｋＶと−２ｋＶの間で切り替え、電源回路４１の出力電圧を０Ｖと３ｋＶの間で切り替えるとともに電源回路４２の出力電圧を０Ｖと６ｋＶの間で切り替える。
【００６５】
本実施形態では、上記第１実施形態と共通の構成から奏される効果を第１実施形態と同様に得ることができる。
【００６６】
また、本実施形態のイオン風送出装置は、第２放電電極２１と制御電極３１の間で発生したコロナ放電により生成されたイオンによるイオン風の送風経路上に配置された制御電極３２と、制御電極３１と制御電極３２との間に配置された第３放電電極２２と、を備えている。さらに、本実施形態のイオン風送出装置は、第３放電電極２２と制御電極３２の間で発生したコロナ放電により生成されたイオンを加速させるとともに第３放電電極２２と制御電極３２との間にコロナ放電を誘起させる電圧を出力する電源回路４２を備えている。
【００６７】
このような構成によれば、さらに、第３放電電極２２と制御電極３２の間で発生したコロナ放電により生成されたイオンを加速させるとともに第３放電電極２２と制御電極３２との間にコロナ放電を誘起させることができる。
【００６８】
また、本実施形態のイオン風送出装置は、制御電極３２を収納するとともに噴射ノズル１２を有するケース１０を備えている。噴射ノズル１２は、第１放電電極２０と基準電極３０の間で発生したコロナ放電により生成されたイオンによるイオン風を噴射させる。また噴射ノズル１２は、第２放電電極２１と制御電極３１との間で発生したコロナ放電により生じたイオンによるイオン風を噴射させる。また噴射ノズル１２は、第３放電電極２２と制御電極３２の間で発生したコロナ放電により生成されたイオンによるイオン風を噴射させる。
【００６９】
更に、本実施形態のイオン風送出装置は制御部５０を備えている。制御部５０は、電源回路４０の出力電圧を、第１放電電極２０と基準電極３０の間にコロナ放電を誘起させない電圧と、第１放電電極２０と基準電極３０の間にコロナ放電を誘起させる電圧との間で切り替える。制御部５０は、電源回路４１の出力電圧を、第２放電電極２１と制御電極３１の間にコロナ放電を誘起させない電圧と、第２放電電極２１と制御電極３１の間にコロナ放電を誘起させる電圧との間で切り替える。それとともに制御部５０は、電源回路４２の出力電圧を、第３放電電極２２と制御電極３２との間にコロナ放電を誘起させない電圧と、第３放電電極２２と制御電極３２との間にコロナ放電を誘起させる電圧との間で切り替える。
【００７０】
従って、第２放電電極２１と制御電極３１の間で発生したコロナ放電により生じた負のイオンによるイオン風とともに第３放電電極２２と制御電極３２との間で発生したコロナ放電により生じた負のイオンによるイオン風を噴射ノズル１２から噴流として噴射できる。
【００７１】
制御部５０は、さらに、電源回路４１の出力電圧を、第２放電電極２１と制御電極３１の間にコロナ放電を誘起させない電圧に切り替えて維持している期間中の全体において、電源回路４２の出力電圧を、第３放電電極２２と制御電極３２との間にコロナ放電を誘起させない電圧に切り替える。また制御部５０は、電源回路４１の出力電圧を、第２放電電極２１と制御電極３１の間にコロナ放電を誘起させる電圧に切り替えて維持している期間中の全体において、電源回路４２の出力電圧を、第３放電電極２２と制御電極３２との間にコロナ放電を誘起させる電圧に切り替える。
【００７２】
このように制御部５０は、電源回路４２の出力電圧を、第３放電電極２２と制御電極３２の間にコロナ放電を誘起させる電圧に切り替えて維持している期間中の全体において、第２放電電極２１と制御電極３１の間にコロナ放電を発生させ、さらに、第３放電電極２２と制御電極３２との間にコロナ放電を発生させる。したがって、ケース１０の噴射ノズル１２からより強い噴流を噴射させることができる。
【００７３】
制御部５０は、さらに、電源回路４１の出力電圧を、第２放電電極２１と制御電極３１の間にコロナ放電を誘起させない電圧に切り替えて維持している期間中の全体において、電源回路４０の出力電圧を、第１放電電極２０と基準電極３０の間にコロナ放電を誘起させない電圧に切り替える。さらに、制御部５０は、電源回路４１の出力電圧を、第２放電電極２１と制御電極３１の間にコロナ放電を誘起させる電圧に切り替えて維持している期間中の全体において、電源回路４０の出力電圧を、第１放電電極２０と基準電極３０の間にコロナ放電を誘起させる電圧に切り替える。
【００７４】
このような構成によれば、電源回路４１の出力電圧を、第２放電電極２１と制御電極３１の間にコロナ放電を誘起させる電圧に切り替えて維持している期間中の全体において、さらに、第２放電電極２１と制御電極３１の間にコロナ放電を発生させるので、ケース１０の噴射ノズル１２からより強い噴流を噴射させることができる。
【００７５】
（第５実施形態）
第５実施形態に係るイオン風送出装置について説明する。本実施形態のイオン風送出装置の構成は、上記第４実施形態のイオン風送出装置と同じである。上記第４実施形態のイオン風送出装置は、図９に示したように、電源回路４１の出力電圧が０Ｖと３ｋＶの間で切り替わるとともに電源回路４２の出力電圧が０Ｖと６ｋＶの間で切り替わる。本実施形態のイオン風送出装置は、図１０に示すように、電源回路４１の出力電圧が−３ｋＶと＋３ｋＶの間で切り替わるとともに電源回路４２の出力電圧が−６ｋＶと＋６ｋＶの間で切り替わる点が、第４実施形態と異なる。
【００７６】
本実施形態における制御部５０は、電源回路４０の出力電圧を、第１放電電極２０と基準電極３０の間にコロナ放電を誘起させる電圧に切り替える。それと同時に制御部５０は、電源回路４１の出力電圧を、第２放電電極２１と制御電極３１との間にコロナ放電を誘起させる電圧に切り替える。それと同時に制御部５０は、電源回路４２の出力電圧を、第３放電電極２２と制御電極３２との間にコロナ放電を誘起させる電圧に切り替える。
【００７７】
したがって、以下のような作動が実現される。まず、第１放電電極２０と基準電極３０との間、第２放電電極２１と制御電極３１との間、および第３放電電極２２と制御電極３２との間でコロナ放電が発生する。そして、発生したコロナ放電により生成されたイオンによるイオン風が噴射ノズル１２から噴射される。その後、制御部５０は、再度、第３放電電極２２と制御電極３２との間にコロナ放電を誘起させる電圧を出力するよう電源回路４２の出力電圧を制御する前に、以下の２つの所定の制御を同時に行う。これら２つの所定の制御のうち１つは、制御電極３１と制御電極３２の間に存在するイオンを制御電極３１側に移動させるよう電源回路４２の出力電圧を制御することである。これら２つの所定の制御のうちもう１つは、基準電極３０と制御電極３１の間に存在するイオンを基準電極３０側に移動させるよう電源回路４１の出力電圧を制御することである。
【００７８】
このような構成によれば、制御電極３１と制御電極３２の間に存在するイオンを制御電極３１側に押し戻されるよう負のイオンが移動、蓄積される。さらに、基準電極３０と制御電極３１の間に存在するイオンも基準電極３０側に押し戻されるよう負のイオンが移動、蓄積される。
【００７９】
したがって、再度、コロナ放電により発生した負のイオンを噴射ノズル１２へ向けて加速させるよう電源回路４１の出力電圧を制御する際に、これらの負のイオンも、制御電極３１、３２側に移動する過程で加速される。その結果、さらに大きなイオン風が発生し、このイオン風が噴射ノズル１２から噴流として吹き出される。すなわち、上記第４実施形態の噴流発生装置と比較して、噴射ノズル１２から噴射される噴流をより高速にすることができる。
【００８０】
（他の実施形態）
（１）上記各実施形態では、第１放電電極２０の電位が基準電極３０の電位よりも低くなるように電源回路４０の出力電圧が制御されることで第１放電電極２０と基準電極３０の間にコロナ放電が発生する。しかし、基準電極３０の電位が第１放電電極２０の電位よりも低くなるよう電源回路４０の出力電圧が制御されることで第１放電電極２０と基準電極３０の間にコロナ放電が発生してもよい。
【００８１】
（２）上記各実施形態では、針状の先端部２０ａを有する放電電極２０、２１、２２を備えた構成を示した。しかし、図１１に示すように、細いワイヤを放電電極として備えた構成も可能である。この場合、例えば、ケース１０の軸方向に対して細いワイヤを直交するように配置してもよい。
【００８２】
（３）上記各実施形態では、第２放電電極２１と基準電極３０の電位が同電位となり、第３放電電極２２と制御電極３１の電位が同電位となっている。しかし、例えば、第２放電電極２１と基準電極３０の電位が略同電位となっていてもよい。また、第３放電電極２２と制御電極３１の電位が略同電位となっていてもよい。
【００８３】
（４）上記第２〜第５実施形態では、筒状の噴射ノズル１２が噴射口として例示されている。しかし、噴射口は開口穴であってもよい。
【００８４】
（５）上記第２、第３実施形態では、各放電電極２０、２１、基準電極３０、および制御電極３１がケース１０に収納されている。しかし、最後段である制御電極３１が少なくともケース１０に収納され、各放電電極２０、２１および基準電極３０がケース１０の外部に配置されてもよい。
【００８５】
（６）上記第４、第５実施形態では、各放電電極２０、２１、２２、基準電極３０および各制御電極３１、３２がケース１０に収納されている。しかし、最後段である制御電極３２が少なくともケース１０に収納され、各放電電極２０、２１、２２、基準電極３０および各制御電極３１がケース１０の外部に配置されてもよい。
【００８６】
（７）上記各実施形態に示した構成に対して、さらに、ケース１０の開口部１３ａあるいはケース１０の内部等に、アロマオイル等の香り成分を放つプレートを格納するアロマユニットが備えられてもよい。このように、アロマユニットに香り成分を放つプレートを格納することで、噴射ノズル１２から香り成分を放つようにすることが可能である。
【００８７】
（８）上記各実施形態において、快適性向上のため、車両の乗員の顔に向けて噴流を噴射するよう本噴流発生装置を車両のメータ等に取り付ける例を示した。しかし、空調のため、車両の乗員の顔等に向けて冷風または暖風を噴射するよう、イオン風送出装置が構成されてもよい。この場合、例えば、ケース１０に形成された開口部１３ａからケース１０内に空調装置により生成された冷風または暖風を取り込むように構成することができる。
【００８８】
（９）上記各実施形態において、車両の乗員の顔に向けて噴流を噴射するよう本噴流発生装置を車両のメータ等に取り付ける例を示したが、車両の乗員の顔等に向けて湿度の高い空気を噴射するよう構成してもよい。この場合、例えば、ケース１０に形成された開口部１３ａからケース１０内に加湿器により生成された湿度の高い空気が取り込まれるように構成することができる。
【００８９】
（１０）上記各実施形態において、車両の乗員の顔に向けて噴流を噴射するよう本噴流発生装置を車両のメータ等に取り付ける例を示した。しかし、車両の各乗員に対して個別に噴流を発生させるよう、例えば、本噴流発生装置を車両の各座席の乗員に対して個別に設けるようにしてもよい。
【００９０】
（１１）上記各実施形態において、車両の乗員の顔に向けて噴流を噴射するよう本噴流発生装置を車両のメータ等に取り付ける例を示したが、本噴流発生装置を車両の天井、ステアリング、ヘッドレスト等に取り付けるようにしてもよい。また、車両のメータ、車両の天井、ステアリング、ヘッドレスト等に容易に取り付けられる取付部を備えるようにしてもよい。
【００９１】
（１２）上記第４、第５実施形態では、電源回路４０の出力電圧の切替タイミングと電源回路４１の出力電圧の切替タイミングとが同期している。さらに、電源回路４０の出力電圧の切替タイミングと電源回路４２の出力電圧の切替タイミングとが同期している。しかし、必ずしもこれらを同期させる必要はない。例えば、電源回路４１の出力電圧の切替タイミングを電源回路４０の出力電圧の切替タイミングより若干遅らせてもよい。それと共に、電源回路４２の出力電圧の切替タイミングを電源回路４０の出力電圧の切替タイミングより若干遅らせてもよい。それと共に、電源回路４２の出力電圧の切替タイミングを電源回路４１の出力電圧の切替タイミングより若干遅らせてもよい。
【００９２】
この場合、第４、第５実施形態に対して、以下のような変形作動が実現する。以下では、第１放電電極２０と基準電極３０の間にコロナ放電を誘起させる電圧を、第１強電圧と呼ぶ。また、第１放電電極２０と基準電極３０の間にコロナ放電を誘起させない電圧を、第１弱電圧と呼ぶ。
【００９３】
また、第２放電電極２１と制御電極３１の間にコロナ放電を誘起させる電圧を、第２強電圧と呼ぶ。また、第２放電電極２１と制御電極３１の間にコロナ放電を誘起させない電圧を、第２弱電圧と呼ぶ。
【００９４】
また、第３放電電極２２と制御電極３２の間にコロナ放電を誘起させる電圧を、第３強電圧と呼ぶ。また、第３放電電極２２と制御電極３２の間にコロナ放電を誘起させない電圧を、第３弱電圧と呼ぶ。
【００９５】
制御部５０は、ある第１期間全体において、電源回路４０、４１、４２の出力電圧を、それぞれ、第１弱電圧、第２弱電圧、第３弱電圧にしている。制御部５０は、第１期間に続く第２期間全体において、電源回路４０、４１、４２の出力電圧を、それぞれ、第１強電圧、第２弱電圧、第３弱電圧にしている。制御部５０は、第２期間に続く第３期間全体において、電源回路４０、４１、４２の出力電圧を、それぞれ、第１強電圧、第２強電圧、第３弱電圧にしている。
【００９６】
制御部５０は、第３期間に続く第４期間全体において、電源回路４０、４１、４２の出力電圧を、それぞれ、第１強電圧、第２強電圧、第３強電圧にしている。制御部５０は、第４期間に続く第５期間全体において、電源回路４０、４１、４２の出力電圧を、それぞれ、第１弱電圧、第２強電圧、第３強電圧にしている。
【００９７】
制御部５０は、第５期間に続く第６期間全体において、電源回路４０、４１、４２の出力電圧を、それぞれ、第１弱電圧、第２弱電圧、第３強電圧にしている。制御部５０は、第６期間に続く第７期間全体において、電源回路４０、４１、４２の出力電圧を、それぞれ、第１弱電圧、第２弱電圧、第３弱電圧にしている。
【００９８】
また、制御部５０は、電源回路４１の出力電圧を第２弱電圧にしている期間（すなわち上記第１、第２、第６、第７期間）中の一部（すなわち上記第１、第２、第７期間）において、電源回路４２の出力電圧を第３弱電圧にしている。また、制御部５０は、電源回路４１の出力電圧を第２強電圧にしている期間（すなわち上記第３、第４、第５期間）中の一部（すなわち上記第４、第５期間）において、電源回路４２の出力電圧を第３強電圧にしている。
【００９９】
また、制御部５０は、電源回路４１の出力電圧を第２弱電圧にしている期間（すなわち上記第１、第２、第６、第７期間）中の一部（すなわち上記第１、第６、第７期間）において、電源回路４０の出力電圧を第１弱電圧にしている。また、制御部５０は、電源回路４１の出力電圧を第２強電圧にしている期間（すなわち上記第３、第４、第５期間）中の一部（すなわち上記第３、第４期間）において、電源回路４０の出力電圧を第１強電圧にしている。
【０１００】
このように、電源回路４０の出力電圧を第１強電圧にしている期間と、電源回路４１の出力電圧を第２強電圧にしている期間とは、少なくとも一部が重なっていればよい。また、電源回路４０の出力電圧を第１弱電圧にしている期間と、電源回路４１の出力電圧を第２弱電圧にしている期間とは、少なくとも一部が重なっていればよい。このことは、第２実施形態についても言える。
【０１０１】
また、電源回路４１の出力電圧を第２強電圧にしている期間と、電源回路４２の出力電圧を第３強電圧にしている期間とは、少なくとも一部が重なっていればよい。また、電源回路４１の出力電圧を第２弱電圧にしている期間と、電源回路４２の出力電圧を第３弱電圧にしている期間とは、少なくとも一部が重なっていればよい。
【０１０２】
また、電源回路４０の出力電圧を第１強電圧にしている期間と、電源回路４２の出力電圧を第３強電圧にしている期間とは、少なくとも一部が重なっていればよい。また、電源回路４０の出力電圧を第１弱電圧にしている期間と、電源回路４２の出力電圧を第３弱電圧にしている期間とは、少なくとも一部が重なっていればよい。
【０１０３】
（１３）上記第４、第５実施形態では、３段の電極対が直列に配置されるが、４段以上の電極対が直列に配置されていてもよい。
【０１０４】
なお、本開示は上記した実施形態に限定されるものではなく、適宜変更が可能である。また、上記各実施形態は、互いに無関係なものではなく、組み合わせが明らかに不可な場合を除き、適宜組み合わせが可能である。また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記各実施形態において、構成要素等の材質、形状、位置関係等に言及するときは、特に明示した場合および原理的に特定の材質、形状、位置関係等に限定される場合等を除き、その材質、形状、位置関係等に限定されるものではない。
【図１】
2017029962.tif 000003
【図２】
2017029962.tif 000004
【図３】
2017029962.tif 000005
【図４】
2017029962.tif 000006
【図５】
2017029962.tif 000007
【図６】
2017029962.tif 000008
【図７】
2017029962.tif 000009
【図８】
2017029962.tif 000010
【図９】
2017029962.tif 000011
【図１０】
2017029962.tif 000012
【図１１】
2017029962.tif 000013
【手続補正書】
【提出日】平成29年8月25日(2017.8.25)
【手続補正１】
【補正対象書類名】特許請求の範囲
【補正対象項目名】全文
【補正方法】変更
【補正の内容】
【特許請求の範囲】
【請求項１】
第１放電電極（２０）と、
前記第１放電電極と離れて配置された基準電極（３０）と、
前記第１放電電極と前記基準電極の間にコロナ放電を誘起させる電圧を出力する第１電源回路（４０）と、
前記第１放電電極と前記基準電極の間で発生したコロナ放電により生成されたイオンによるイオン風の送風経路上に配置された制御電極（３１）と、
前記基準電極と前記制御電極との間に配置された第２放電電極（２１）と、
前記第１放電電極と前記基準電極の間で発生したコロナ放電により生成されたイオンを加速させるとともに前記第２放電電極と前記制御電極との間にコロナ放電を誘起させる電圧を出力する第２電源回路（４１）と、を備え、
前記第１電源回路の出力電圧が、前記第１放電電極と前記基準電極の間にコロナ放電を誘起させる電圧に切り替わるとともに第２電源回路の出力電圧が、前記第２放電電極と前記制御電極との間にコロナ放電を誘起させる電圧に切り替わり、前記第１放電電極と前記基準電極との間、および前記第２放電電極と前記制御電極との間で発生したコロナ放電により生成されたイオンによるイオン風が噴射された後、再度、前記第２放電電極と前記制御電極との間にコロナ放電を誘起させる電圧を出力するよう前記第２電源回路の出力電圧が制御される前に、前記基準電極と前記制御電極の間に存在するイオンを前記基準電極側へ移動させるよう前記第２電源回路の出力電圧が制御されるイオン風送出装置。
【請求項２】
少なくとも前記制御電極を収納し、前記第１放電電極と前記基準電極の間で発生した前記コロナ放電により生成されたイオンによるイオン風とともに前記第２放電電極と前記制御電極との間で発生したコロナ放電により生じたイオンによるイオン風を噴射させる噴射口（１２）を有するケース（１０）と、
前記第２電源回路の出力電圧を、前記第２放電電極と前記制御電極の間にコロナ放電を誘起させない電圧と、前記第２放電電極と前記制御電極の間にコロナ放電を誘起させる電圧との間で切り替える制御部（５０）と、を備えた請求項１に記載のイオン風送出装置。
【請求項３】
前記制御部は、前記第２電源回路の出力電圧を、前記第２放電電極と前記制御電極の間にコロナ放電を誘起させない電圧にしている期間中の少なくとも一部において、前記第１電源回路の出力電圧を、前記第１放電電極と前記基準電極の間にコロナ放電を誘起させない電圧にし、前記第２電源回路の出力電圧を、前記第２放電電極と前記制御電極の間にコロナ放電を誘起させる電圧にしている期間中の少なくとも一部において、前記第１電源回路の出力電圧を、前記第１放電電極と前記基準電極の間にコロナ放電を誘起させる電圧にする請求項２に記載のイオン風送出装置。
【請求項４】
前記制御部は、前記第１電源回路の出力電圧を、前記第１放電電極と前記基準電極の間にコロナ放電を誘起させる電圧に切り替えるとともに第２電源回路の出力電圧を、前記第２放電電極と前記制御電極との間にコロナ放電を誘起させる電圧に切り替え、前記第１放電電極と前記基準電極との間、および前記第２放電電極と前記制御電極との間で発生したコロナ放電により生成されたイオンによるイオン風が前記噴射口から噴射された後、再度、前記第２放電電極と前記制御電極との間にコロナ放電を誘起させる電圧を出力するよう前記第２電源回路の出力電圧を制御する前に、前記基準電極と前記制御電極の間に存在するイオンを前記基準電極側へ移動させるよう前記第２電源回路の出力電圧を制御する請求項２または３に記載のイオン風送出装置。
【請求項５】
前記制御電極を第１制御電極とし、
当該イオン風送出装置は、さらに、
前記第２放電電極と前記第１制御電極の間で発生した前記コロナ放電により生成されたイオンによるイオン風の送風経路上に配置された第２制御電極（３２）と、
前記第１制御電極と前記第２制御電極との間に配置された第３放電電極（２２）と、
前記第３放電電極と前記第２制御電極の間で発生したコロナ放電により生成されたイオンを加速させるとともに前記第３放電電極と前記第２制御電極との間にコロナ放電を誘起させる電圧を出力する第３電源回路（４２）と、を備えた請求項１に記載のイオン風送出装置。
【請求項６】
少なくとも前記第２制御電極を収納し、前記第１放電電極と前記基準電極の間で発生した前記コロナ放電により生成されたイオンによるイオン風、前記第２放電電極と前記第１制御電極との間で発生したコロナ放電により生じたイオンによるイオン風および前記第３放電電極と前記第２制御電極の間で発生したコロナ放電により生成されたイオンによるイオン風を噴射させる噴射口（１２）を有するケース（１０）と、
前記第２電源回路の出力電圧を、前記第２放電電極と前記第１制御電極の間にコロナ放電を誘起させない電圧と、前記第２放電電極と前記制御電極の間にコロナ放電を誘起させる電圧との間で切り替えるとともに、前記第３電源回路の出力電圧を、前記第３放電電極と前記第２制御電極との間にコロナ放電を誘起させない電圧と、前記第３放電電極と前記第２制御電極との間にコロナ放電を誘起させる電圧との間で切り替える制御部（５０）と、を備えた請求項５に記載のイオン風送出装置。
【請求項７】
前記制御部は、前記第２電源回路の出力電圧を、前記第２放電電極と前記第１制御電極の間にコロナ放電を誘起させない電圧にしている期間中の少なくとも一部において、前記第３電源回路の出力電圧を、前記第３放電電極と前記第２制御電極との間にコロナ放電を誘起させない電圧にし、前記第２電源回路の出力電圧を、前記第２放電電極と前記第１制御電極の間にコロナ放電を誘起させる電圧にしている期間中の少なくとも一部において、前記第３電源回路の出力電圧を、前記第３放電電極と前記第２制御電極との間にコロナ放電を誘起させる電圧にする請求項６に記載のイオン風送出装置。
【請求項８】
前記制御部は、前記第１電源回路の出力電圧を、前記第１放電電極と前記基準電極の間にコロナ放電を誘起させる電圧に切り替え、前記第２電源回路の出力電圧を、前記第２放電電極と前記第１制御電極との間にコロナ放電を誘起させる電圧に切り替え、さらに、前記第３電源回路の出力電圧を、前記第３放電電極と前記第２制御電極との間にコロナ放電を誘起させる電圧に切り替え、前記第１放電電極と前記基準電極との間、前記第２放電電極と前記第１制御電極との間、および前記第３放電電極と前記第２制御電極との間で発生したコロナ放電により生成されたイオンによるイオン風が前記噴射口から噴射された後、再度、前記第３放電電極と前記第２制御電極との間にコロナ放電を誘起させる電圧を出力するよう前記第３電源回路の出力電圧を制御する前に、前記第１制御電極と前記第２制御電極の間に存在するイオンを前記第１制御電極側に移動させるよう前記第３電源回路の出力電圧を制御するとともに、前記基準電極と前記第１制御電極の間に存在するイオンを前記基準電極側に移動させるよう前記第２電源回路の出力電圧を制御する請求項７に記載のイオン風送出装置。
【請求項９】
第１放電電極（２０）と、
前記第１放電電極と離れて配置された基準電極（３０）と、
前記第１放電電極と前記基準電極の間にコロナ放電を誘起させる電圧を出力する第１電源回路（４０）と、
前記第１放電電極と前記基準電極の間で発生したコロナ放電により生成されたイオンによるイオン風の送風経路上に配置された第１制御電極（３１）と、
前記基準電極と前記第１制御電極との間に配置された第２放電電極（２１）と、
前記第１放電電極と前記基準電極の間で発生したコロナ放電により生成されたイオンを加速させるとともに前記第２放電電極と前記第１制御電極との間にコロナ放電を誘起させる電圧を出力する第２電源回路（４１）と、
前記第２放電電極と前記第１制御電極の間で発生した前記コロナ放電により生成されたイオンによるイオン風の送風経路上に配置された第２制御電極（３２）と、
前記第１制御電極と前記第２制御電極との間に配置された第３放電電極（２２）と、
前記第３放電電極と前記第２制御電極の間で発生したコロナ放電により生成されたイオンを加速させるとともに前記第３放電電極と前記第２制御電極との間にコロナ放電を誘起させる電圧を出力する第３電源回路（４２）と、
少なくとも前記第２制御電極を収納し、前記第１放電電極と前記基準電極の間で発生した前記コロナ放電により生成されたイオンによるイオン風、前記第２放電電極と前記第１制御電極との間で発生したコロナ放電により生じたイオンによるイオン風および前記第３放電電極と前記第２制御電極の間で発生したコロナ放電により生成されたイオンによるイオン風を噴射させる噴射口（１２）を有するケース（１０）と、
前記第２電源回路の出力電圧を、前記第２放電電極と前記第１制御電極の間にコロナ放電を誘起させない電圧と、前記第２放電電極と前記制御電極の間にコロナ放電を誘起させる電圧との間で切り替えるとともに、前記第３電源回路の出力電圧を、前記第３放電電極と前記第２制御電極との間にコロナ放電を誘起させない電圧と、前記第３放電電極と前記第２制御電極との間にコロナ放電を誘起させる電圧との間で切り替える制御部（５０）と、を備え、
前記制御部は、前記第２電源回路の出力電圧を、前記第２放電電極と前記第１制御電極の間にコロナ放電を誘起させない電圧にしている期間中の少なくとも一部において、前記第３電源回路の出力電圧を、前記第３放電電極と前記第２制御電極との間にコロナ放電を誘起させない電圧にし、前記第２電源回路の出力電圧を、前記第２放電電極と前記第１制御電極の間にコロナ放電を誘起させる電圧にしている期間中の少なくとも一部において、前記第３電源回路の出力電圧を、前記第３放電電極と前記第２制御電極との間にコロナ放電を誘起させる電圧にし、
前記制御部は、前記第１電源回路の出力電圧を、前記第１放電電極と前記基準電極の間にコロナ放電を誘起させる電圧に切り替え、前記第２電源回路の出力電圧を、前記第２放電電極と前記第１制御電極との間にコロナ放電を誘起させる電圧に切り替え、さらに、前記第３電源回路の出力電圧を、前記第３放電電極と前記第２制御電極との間にコロナ放電を誘起させる電圧に切り替え、前記第１放電電極と前記基準電極との間、前記第２放電電極と前記第１制御電極との間、および前記第３放電電極と前記第２制御電極との間で発生したコロナ放電により生成されたイオンによるイオン風が前記噴射口から噴射された後、再度、前記第３放電電極と前記第２制御電極との間にコロナ放電を誘起させる電圧を出力するよう前記第３電源回路の出力電圧を制御する前に、前記第１制御電極と前記第２制御電極の間に存在するイオンを前記第１制御電極側に移動させるよう前記第３電源回路の出力電圧を制御するとともに、前記基準電極と前記第１制御電極の間に存在するイオンを前記基準電極側に移動させるよう前記第２電源回路の出力電圧を制御するイオン風送出装置。
【請求項１０】
前記制御部は、前記第２電源回路の出力電圧を、前記第２放電電極と前記制御電極の間にコロナ放電を誘起させない電圧にしている期間中の少なくとも一部において、さらに、前記第１電源回路の出力電圧を、前記第１放電電極と前記基準電極の間にコロナ放電を誘起させない電圧にし、前記第２電源回路の出力電圧を、前記第２放電電極と前記制御電極の間にコロナ放電を誘起させる電圧にしている期間中の少なくとも一部において、さらに、前記第１電源回路の出力電圧を、前記第１放電電極と前記基準電極の間にコロナ放電を誘起させる電圧にする請求項７ないし９のいずれか１つに記載のイオン風送出装置。
【手続補正２】
【補正対象書類名】明細書
【補正対象項目名】０００７
【補正方法】変更
【補正の内容】
【０００７】
本開示の１つの観点によれば、イオン風送出装置は、第１放電電極と、第１放電電極と離れて配置された基準電極と、第１放電電極と基準電極の間にコロナ放電を誘起させる電圧を出力する第１電源回路と、第１放電電極と基準電極の間で発生したコロナ放電により生成されたイオンによるイオン風の送風経路上に配置された制御電極と、基準電極と制御電極との間に配置された第２放電電極と、第１放電電極と基準電極の間で発生したコロナ放電により生成されたイオンを加速させるとともに第２放電電極と制御電極との間にコロナ放電を誘起させる電圧を出力する第２電源回路と、を備え、前記第１電源回路の出力電圧が、前記第１放電電極と前記基準電極の間にコロナ放電を誘起させる電圧に切り替わるとともに第２電源回路の出力電圧が、前記第２放電電極と前記制御電極との間にコロナ放電を誘起させる電圧に切り替わり、前記第１放電電極と前記基準電極との間、および前記第２放電電極と前記制御電極との間で発生したコロナ放電により生成されたイオンによるイオン風が噴射された後、再度、前記第２放電電極と前記制御電極との間にコロナ放電を誘起させる電圧を出力するよう前記第２電源回路の出力電圧が制御される前に、前記基準電極と前記制御電極の間に存在するイオンを前記基準電極側へ移動させるよう前記第２電源回路の出力電圧が制御される。
また、他の観点によれば、イオン風送出装置は、第１放電電極（２０）と、前記第１放電電極と離れて配置された基準電極（３０）と、前記第１放電電極と前記基準電極の間にコロナ放電を誘起させる電圧を出力する第１電源回路（４０）と、前記第１放電電極と前記基準電極の間で発生したコロナ放電により生成されたイオンによるイオン風の送風経路上に配置された第１制御電極（３１）と、前記基準電極と前記第１制御電極との間に配置された第２放電電極（２１）と、前記第１放電電極と前記基準電極の間で発生したコロナ放電により生成されたイオンを加速させるとともに前記第２放電電極と前記第１制御電極との間にコロナ放電を誘起させる電圧を出力する第２電源回路（４１）と、前記第２放電電極と前記第１制御電極の間で発生した前記コロナ放電により生成されたイオンによるイオン風の送風経路上に配置された第２制御電極（３２）と、前記第１制御電極と前記第２制御電極との間に配置された第３放電電極（２２）と、前記第３放電電極と前記第２制御電極の間で発生したコロナ放電により生成されたイオンを加速させるとともに前記第３放電電極と前記第２制御電極との間にコロナ放電を誘起させる電圧を出力する第３電源回路（４２）と、少なくとも前記第２制御電極を収納し、前記第１放電電極と前記基準電極の間で発生した前記コロナ放電により生成されたイオンによるイオン風、前記第２放電電極と前記第１制御電極との間で発生したコロナ放電により生じたイオンによるイオン風および前記第３放電電極と前記第２制御電極の間で発生したコロナ放電により生成されたイオンによるイオン風を噴射させる噴射口（１２）を有するケース（１０）と、前記第２電源回路の出力電圧を、前記第２放電電極と前記第１制御電極の間にコロナ放電を誘起させない電圧と、前記第２放電電極と前記制御電極の間にコロナ放電を誘起させる電圧との間で切り替えるとともに、前記第３電源回路の出力電圧を、前記第３放電電極と前記第２制御電極との間にコロナ放電を誘起させない電圧と、前記第３放電電極と前記第２制御電極との間にコロナ放電を誘起させる電圧との間で切り替える制御部（５０）と、を備え、前記制御部は、前記第２電源回路の出力電圧を、前記第２放電電極と前記第１制御電極の間にコロナ放電を誘起させない電圧にしている期間中の少なくとも一部において、前記第３電源回路の出力電圧を、前記第３放電電極と前記第２制御電極との間にコロナ放電を誘起させない電圧にし、前記第２電源回路の出力電圧を、前記第２放電電極と前記第１制御電極の間にコロナ放電を誘起させる電圧にしている期間中の少なくとも一部において、前記第３電源回路の出力電圧を、前記第３放電電極と前記第２制御電極との間にコロナ放電を誘起させる電圧にし、前記制御部は、前記第１電源回路の出力電圧を、前記第１放電電極と前記基準電極の間にコロナ放電を誘起させる電圧に切り替え、前記第２電源回路の出力電圧を、前記第２放電電極と前記第１制御電極との間にコロナ放電を誘起させる電圧に切り替え、さらに、前記第３電源回路の出力電圧を、前記第３放電電極と前記第２制御電極との間にコロナ放電を誘起させる電圧に切り替え、前記第１放電電極と前記基準電極との間、前記第２放電電極と前記第１制御電極との間、および前記第３放電電極と前記第２制御電極との間で発生したコロナ放電により生成されたイオンによるイオン風が前記噴射口から噴射された後、再度、前記第３放電電極と前記第２制御電極との間にコロナ放電を誘起させる電圧を出力するよう前記第３電源回路の出力電圧を制御する前に、前記第１制御電極と前記第２制御電極の間に存在するイオンを前記第１制御電極側に移動させるよう前記第３電源回路の出力電圧を制御するとともに、前記基準電極と前記第１制御電極の間に存在するイオンを前記基準電極側に移動させるよう前記第２電源回路の出力電圧を制御する。
【国際調査報告】
2017029962.tif 000014
2017029962.tif 000015
2017029962.tif 000016
2017029962.tif 000017